(57)【要約】【課題】プロファイルの作成や登録の手間を軽減することのできる色変換システム及び色変換方法を提供することを目的とする。【解決手段】画像データベースが複数の提供者の画像データを画像データ識別情報に対応付けて記憶し、プロファイルサーバがユーザ端末のモニタ装置固有の特性を示すプロファイル情報とプロファイル識別情報を対応付けて記憶するプロファイル記憶する。そしてプロファイルサーバがユーザ端末から送信されたプロファイル識別情報に基づいてプロファイル記憶部からプロファイル情報を読み取り、当該プロファイル情報を色変換サーバに送信し、色変換サーバがユーザ端末の送信した画像データ識別情報に基づいて画像データベースから画像データを読み取り、当該画像データの示す色をプロファイル情報に基づいて変換してユーザ端末に送信する。【選択図】  図１
2005024654.tif 000002
【特許請求の範囲】
【請求項１】
複数の提供者の画像データを画像データ識別情報に対応付けて記憶する画像データベースと、
ユーザ端末のモニタ装置固有の特性を示すプロファイル情報とプロファイル識別情報を対応付けて記憶するプロファイル記憶部を備え、前記ユーザ端末から送信された前記プロファイル識別情報に基づいて前記プロファイル記憶部から前記プロファイル情報を読み取り、当該プロファイル情報を色変換サーバに送信するプロファイルサーバと、
前記ユーザ端末が送信した画像データ識別情報に基づいて前記画像データベースから前記画像データを読み取り、当該画像データの示す色を前記プロファイル情報に基づいて変換して前記ユーザ端末に送信する色変換サーバと、
を備えることを特徴とする色変換システム。
【請求項２】
前記ユーザ端末が前記プロファイル識別情報を含むクッキーを記憶し、前記プロファイル識別情報は前記ユーザ端末から送信されたクッキーに含まれる
請求項１に記載の色変換システム。
【請求項３】
画像データベースが、複数の提供者の画像データを画像データ識別情報に対応付けて記憶し、
プロファイルサーバが、ユーザ端末のモニタ装置固有の特性を示すプロファイル情報とプロファイル識別情報を対応付けて記憶するプロファイルを記憶し、
プロファイルサーバが、前記ユーザ端末から送信された前記プロファイル識別情報に基づいて前記プロファイル記憶部から前記プロファイル情報を読み取り、当該プロファイル情報を色変換サーバに送信し、
色変換サーバが、前記ユーザ端末の送信した画像データ識別情報に基づいて前記画像データベースから前記画像データを読み取り、当該画像データの示す色を前記プロファイル情報に基づいて変換して前記ユーザ端末に送信する
ことを特徴とする色変換方法。
【請求項４】
前記ユーザ端末が前記プロファイル識別情報を含むクッキーを記憶し、前記プロファイル識別情報は前記ユーザ端末から送信されたクッキーに含まれる
請求項３に記載の色変換方法。
【請求項５】
ユーザ端末のモニタ装置固有の特性を示すプロファイル情報とプロファイル識別情報を対応付けて記憶するプロファイル記憶部を備えたプロファイルサーバに実行させるプログラムであって、
前記ユーザ端末から送信された前記プロファイル識別情報に基づいて前記プロファイル記憶部から前記プロファイル情報を読み取る過程と、
前記読み取ったプロファイル情報を色変換サーバに送信する過程と、
の処理を実行するプログラム。
【請求項６】
色変換サーバに実行させるプログラムであって、
ユーザ端末から受信した画像データ識別情報に基づいて、複数の提供者の画像データを画像データ識別情報に対応付けて記憶する画像データベースから前記画像データを読み取る過程と、
前記読み取った画像データの示す色を、プロファイルサーバから受信したプロファイル情報に基づいて変換してユーザ端末に送信する過程と、
の処理を実行するプログラム。
【発明の詳細な説明】
【０００１】
【発明の属する技術分野】
この発明は、コンピュータシステムに係り、特に、画像データが示す色の色変換システム及び色変換方法に関するものである。
【０００２】
【従来の技術】
従来、インターネットを利用した通信販売において商品を購入するユーザは、インターネットに接続した端末からインターネット上に存在する通信販売サイトのサーバにアクセスし、端末上に表示されたウェブページにおいて商品を選択している。なお、この通信販売サイトは通信販売業者がインターネット上に開設している。そして、通信販売サイトは端末に商品の画像を掲載したウェブページを送信する際に商品の画像データの示す色をユーザの端末の特性に合わせて変換する色変換システムを備えている。この色変換システムはユーザが端末において作成した端末の特性を示すプロファイルを記憶しておき、当該プロファイルを用いて画像データが示す色を変換する。尚、通信販売サイトに色変換システムを備える理由は、ウェブページに掲載する商品の画像データが示す色を、ユーザ端末の特性に基づいて変換して、実物の商品とほぼ同色の画像をユーザ端末に表示させるためである。そして、本願出願人は、この技術を既に特許出願済み（特願２００１−２９６７００）である。
【０００３】
【発明が解決しようとする課題】
ここで、多数の通信販売業者が上述の通信販売サイトをインターネット上に開設している場合には、ユーザはそれぞれの通信販売サイトにアクセスをしてショッピングをすることとなる。そして、通信販売サイトがそれぞれ色変化システムを備えている場合には、ユーザは各通信販売サイト毎にプロファイルを作成して登録する必要があるので、プロファイルの作成の手間がかり、利用しにくいという問題があった。
そこでこの発明は、プロファイルの作成や登録の手間を軽減することのできる色変換システム及び色変換方法を提供することを目的とする。
【０００４】
【課題を解決するための手段】
本発明は、上述の課題を解決すべくなされたもので、複数の提供者の画像データを画像データ識別情報に対応付けて記憶する画像データベースと、ユーザ端末のモニタ装置固有の特性を示すプロファイル情報とプロファイル識別情報を対応付けて記憶するプロファイル記憶部を備え、前記ユーザ端末から送信された前記プロファイル識別情報に基づいて前記プロファイル記憶部から前記プロファイル情報を読み取り、当該プロファイル情報を色変換サーバに送信するプロファイルサーバと、前記ユーザ端末が送信した画像データ識別情報に基づいて前記画像データベースから前記画像データを読み取り、当該画像データの示す色を前記プロファイル情報に基づいて変換して前記ユーザ端末に送信する色変換サーバとを備えることを特徴とする色変換システムである。
【０００５】
上述の構成によれば、本発明は、画像データベースが複数の提供者の画像データを画像データ識別情報に対応付けて記憶し、プロファイルサーバがユーザ端末のモニタ装置固有の特性を示すプロファイル情報とプロファイル識別情報を対応付けて記憶するプロファイル記憶する。そしてプロファイルサーバがユーザ端末から送信されたプロファイル識別情報に基づいてプロファイル記憶部からプロファイル情報を読み取り、当該プロファイル情報を色変換サーバに送信し、色変換サーバがユーザ端末の送信した画像データ識別情報に基づいて画像データベースから画像データを読み取り、当該画像データの示す色をプロファイル情報に基づいて変換してユーザ端末に送信する。
これにより、従来は各提供者がそれぞれインターネット上に接続している色変換システムにプロファイルを登録しなければならなかったが、画像データベースは複数の提供者の画像データを記憶しており、その各提供者の画像データにユーザ端末のモニタ装置固有のプロファイルに基づいて色変換するので、本発明によりユーザは１つの色変換システムにプロファイルを登録しおくだけでよく、ユーザにかかる手間を軽減することができる。またそのプロファイルを用いて複数の提供者の画像データの示す色を、ユーザ端末の特性に合わせた色に変換することができる。また画像データベースは複数の提供者の画像データを記憶できるので、各提供者は１つの色変換システムにアクセスして画像データを登録すればよく、また、提供者毎に色変換システムを構築しなくても良い。
【０００６】
また本発明は、上述の色変換システムにおいて、前記ユーザ端末が前記プロファイル識別情報を含むクッキーを記憶し、前記プロファイル識別情報は前記ユーザ端末から送信されたクッキーに含まれることを特徴とする。
【０００７】
また本発明は、画像データベースが、複数の提供者の画像データを画像データ識別情報に対応付けて記憶し、プロファイルサーバが、ユーザ端末のモニタ装置固有の特性を示すプロファイル情報とプロファイル識別情報を対応付けて記憶するプロファイルを記憶し、プロファイルサーバが、前記ユーザ端末から送信された前記プロファイル識別情報に基づいて前記プロファイル記憶部から前記プロファイル情報を読み取り、当該プロファイル情報を色変換サーバに送信し、色変換サーバが、前記ユーザ端末の送信した画像データ識別情報に基づいて前記画像データベースから前記画像データを読み取り、当該画像データの示す色を前記プロファイル情報に基づいて変換して前記ユーザ端末に送信することを特徴とする色変換方法である。
【０００８】
また本発明は、上述の色変換方法であって、前記ユーザ端末が前記プロファイル識別情報を含むクッキーを記憶し、前記プロファイル識別情報は前記ユーザ端末から送信されたクッキーに含まれることを特徴とする。
【０００９】
また本発明は、ユーザ端末のモニタ装置固有の特性を示すプロファイル情報とプロファイル識別情報を対応付けて記憶するプロファイル記憶部を備えたプロファイルサーバに実行させるプログラムであって、前記ユーザ端末から送信された前記プロファイル識別情報に基づいて前記プロファイル記憶部から前記プロファイル情報を読み取る過程と、前記読み取ったプロファイル情報を色変換サーバに送信する過程との処理を実行するプログラムである。
【００１０】
また本発明は、色変換サーバに実行させるプログラムであって、ユーザ端末から受信した画像データ識別情報に基づいて、複数の提供者の画像データを画像データ識別情報に対応付けて記憶する画像データベースから前記画像データを読み取る過程と、前記読み取った画像データの示す色を、プロファイルサーバから受信したプロファイル情報に基づいて変換してユーザ端末に送信する過程との処理を実行するプログラムである。
【００１１】
【発明の実施の形態】
以下、本発明の一実施形態による色変換システムを図面を参照して説明する。図１は、この発明の一実施形態による色変換システムの構成を示す概略ブロック図である。この図において、符号１はユーザ端末からのアクセスを受付けるウェブサーバである。尚、このウェブサーバ１は通信販売のウェブページをユーザ端末５に送信する処理を行なう。また２はユーザ端末のモニタ（モニタ装置）の特性を示すプロファイルを作成するプロファイルサーバである。また３はプロファイルサーバ２が記憶するプロファイルに基づいて画像データの示す色を変換する色変換サーバである。また４は画像データを記憶する画像データベースサーバである。また５はユーザ端末である。また６は通信販売業者などの画像データの提供者となる画像データ提供者の端末６である。また７は画像データ提供者の端末６からのアクセスを受けつけるウェブサーバである。尚、このウェブサーバ７は画像データ登録を受け付ける処理を行なう。
【００１２】
またウェブサーバ１において符号１１はユーザ端末５からのアクセスを処理し、また通信販売のためのウェブページをユーザ端末５に送信するアクセス処理部である。また１２は通信販売のためのウェブページを記憶するウェブページ記憶部である。
【００１３】
またプロファイルサーバ２において符号２１はウェブサーバ１や色変換サーバ３との各種情報の送受信を行なう送受信部である。また２２は色変換要求の処理を行なう色変換要求処理部である。また２３はウェブサーバ１にアクセスしたユーザ端末５のプロファイルを作成するか否かを判定するプロファイル作成開始判定部である。また２４はプロファイルの作成を処理するプロファイル作成処理部である。また２５はプロファイル作成処理部２４の作成したプロファイルを記憶するプロファイル記憶部である。なお、プロファイル記憶部２５にはプロファイルＩＤ（プロファイル識別情報）に対応付けられてプロファイルの情報が記録されている。尚、プロファイルの情報とは具体的にはユーザ端末５のモニタの特性であり、当該モニタのガンマ特性と、モニタのＲ色度点と、モニタのＧ色度点と、モニタのＢ色度点と、モニタの白色点からなる情報である。なおこのプロファイルの情報の詳細については後述する。
【００１４】
また色変換サーバ３において符号３１はプロフィルに基づいて画像データベースサーバ４から送信を受けた画像データの示す色を変換する色変換処理部である。また画像データベースサーバ４において符号４１は画像データベースに記録されいる画像データを読み取り、色変換サーバ３に送信する画像データ読取処理部である。また４２は画像データを記憶する画像データベースである。また４３はウェブサーバ７から受信した画像データの登録処理を行なう画像データ登録処理部である。またウェブサーバ７において符号７１は画像データ提供者の端末６からのアクセスを処理するアクセス処理部である。また７２は画像提供者の端末６から受信した画像データを画像データベースサーバ４に送信する画像データ登録部である。
【００１５】
そしてウェブサーバ１は、ユーザ端末からのアクセスを受付けて通信販売のウェブページをユーザ端末５に送信する。尚、ウェブサーバ１はウェブページをユーザ端末５に送信する際に当該ウェブページに掲載する画像データの要求をプロファイルサーバ２に行なう。そして、プロファイルサーバ２から色の変換後の画像データを受付けて、当該変換後の画像データを掲載したウェブページをユーザ端末５に送信する。また、ウェブサーバ７は画像データ提供者の端末６からの画像データを受信して画像データベースサーバ４に書き込む処理を行なう。
【００１６】
またプロファイルサーバ２はウェブサーバ１からの画像データの要求を受付けて、ユーザ端末のモニタ固有のプロファイルの作成が必要か否かを判定し、当該プロファイルの作成が必要であればプロファイルの作成を行い、必要でなければ色変換サーバ３に画像データの示す色の変換要求を行なう。また色変換サーバ３はプロファイルサーバ２から受付けた画像データの示す色変換要求に基づいて、画像データベースサーバ４から受信した画像データの示す色変換を行って、変換後の画像データをプロファイルサーバ２とウェブサーバ１を介してユーザ端末５に送信する。
【００１７】
次に、画像データの提供者が当該画像データを色変換システムに登録する際の処理に付いて説明する。
まず画像データの提供者は端末６を用いてウェブサーバ７にアクセスする。この時、提供者は提供者ＩＤとパスワードとを用いてウェブサーバにログインする。なお、提供者ＩＤとパスワードは予め画像データの提供者に通知されたものである。次に提供者は端末６を用いて画像データを送信する。するとウェブサーバ７のアクセス処理部７１が端末６から送信された画像データと提供者がログイン時に使用した提供者ＩＤとを画像データ登録部７２に転送する。そして、画像データ登録部７２は提供者ＩＤと画像データとを画像データベースサーバ４に送信する。次に、画像データベースサーバ４の画像データ登録処理部４３が、ウェブサーバ７から受信した提供者ＩＤと画像データとを画像データベース４２に書き込む。なお、この登録処理において画像データ登録処理部４３はウェブサーバ１から受信した提供者ＩＤと画像データに対応する画像データＩＤ（画像データの識別情報）を新たに生成する。そしてその画像データＩＤと提供者ＩＤと画像データとを対応付けて画像データベース４２に書き込む。
【００１８】
次に、色変換システムの処理を順を追って図２を用いて説明する。
図２は色変換システムの処理フローを示す図である。
まず、ユーザがユーザ端末５を用いてウェブサーバ１にアクセスする（ステップＳ１）。なお、このウェブサーバ１へのアクセスはユーザ端末４にインストールされたウェブブラウザを用いる。すると、ウェブサーバ１のアクセス処理部１１は通信販売のホームページをウェブページ記憶部１３から読み取ってユーザ端末５に送信する（ステップＳ２）。ここで、ユーザ端末５に送信されたホームページには通信販売される商品名の一覧が表示されている。そして各商品をリンクが張られており、商品名を例えばユーザ端末５に備えられたマウスなどを用いてクリックすると、当該商品名に対応する商品の画像データＩＤとその商品を提供している提供者（通信販売業者）のＩＤがウェブサーバ１に送信されるようになっている。
【００１９】
次に、ユーザがホームページの一覧において１つの商品名をクリックするとその商品の画像データを特定する画像データＩＤと提供者のＩＤがウェブサーバ１に送信される（ステップＳ３）。そしてアクセス処理部１１が、画像データＩＤと提供者ＩＤを受信して、当該画像データＩＤと提供者ＩＤを含む画像データ要求をプロファイルサーバ２に送信する（ステップＳ４）。
次に、プロファイルサーバ２の送受信部２１が画像データＩＤと提供者ＩＤとを受信して、プロファイル作成開始判定部２３にその２つのＩＤを転送する。すると、プロファイル作成開始判定部２３はユーザ端末５のクッキー（Ｃｏｏｋｉｅ）要求情報を生成しウェブサーバ１のアクセス処理部１１に送信する（ステップＳ５）。なおクッキー要求情報はクッキーを特定するためのＩＤを格納した情報である。またクッキーとはウェブサーバ１が利用者を識別するためにウェブブラウザに送る情報であり、このクッキーにはクッキーを特定する為のＩＤとユーザがプロファイルサーバ２で作成したプロファイルを特定するためのプロファイルＩＤ（プロファイル識別情報）とが格納されている。そしてウェブサーバ１のアクセス処理部１１はクッキー要求情報をユーザ端末１に転送する（ステップＳ６）。
【００２０】
次にクッキー要求情報を受信したユーザ端末５は、クッキー要求情報に示されるＩＤに基づいてユーザ端末５自身が備える記憶部にクッキーを記憶しているか否かを判断する。そして、クッキー要求情報に示されるＩＤを保持したクッキーが記録されている場合にはプロファイルＩＤを格納したクッキーをウェブサーバ１に送信し、無い場合にはそのプロファイルＩＤを格納しないクッキーをウェブサーバ１に送信する（ステップＳ７）。
【００２１】
次にウェブサーバ１はユーザ端末５から受信したクッキーをプロファイルサーバ１に送信する（ステップＳ８）。そしてプロファイルサーバ２のプロファイル作成開始判定部２３は、ウェブサーバ１から受信したクッキーにプロファイルＩＤが格納されているか否かを判断する（ステップＳ９）。
次に、ステップＳ９において、クッキーにプロファイルＩＤが格納されている場合には、色変換要求処理部２２が、当該プロファイルＩＤに対応付けられてプロファイル記憶部２５に記録されているプロファイル情報を読み取って、画像データＩＤと提供者ＩＤとプロファイル情報を格納した色変換要求を送信を送受信部２１に指示する。そして送受信部２１は色変換要求を色変換サーバ３に送信する（ステップＳ１０）。
【００２２】
次に、色変換サーバ３の色変換処理部３１がプロファイルサーバ２から受信した色変換要求に含まれる画像データＩＤと提供者ＩＤとを画像データベースサーバ４に送信する（ステップＳ１１）。すると画像データ読取処理部４１は色変換サーバ３から受信した提供者ＩＤと画像データＩＤに対応付けられて画像データベース４２に記録されている画像データを読み取って、色変換サーバ３に送信する（ステップＳ１２）。そして、色変換サーバ３は画像データベースサーバ４から受信した画像データの示す色をプロファイル情報に基づいて変換し（ステップＳ１３）、プロファイルサーバ２に送信する（ステップＳ１４）。またプロファイルサーバ２の送受信部２１は色変換サーバ２から受信した変換後の画像データをウェブサーバ１に送信する（ステップＳ１５）。
【００２３】
そして、ウェブサーバ１のアクセス処理部１１は、ウェブページ記憶部１３に記録されているウェブページにプロファイルサーバから受信した変換後の画像データを付けてユーザ端末５に送信する（ステップＳ１６）。これにより、ユーザ端末５にはユーザ端末５のモニタ特性に基づいて色変換された画像データが送信されるので、実物の商品とほぼ同色の色がユーザ端末５のモニタに表示される。
また、ステップＳ９においてプロファイル作成開始判定部２３が受信したクッキーにプロファイルＩＤが格納されていないと判断した場合にはプロファイルの作成開始をプロファイル作成処理部２４に伝える。そして、プロファイル作成処理部２４はウェブサーバ１を介してユーザ端末５にプロファイル作成画面を送信する（ステップＳ１７）。そしてプロファイル作成処理部２４はプロファイルの作成処理を開始して（ステップＳ１８）、当該プロファイルの作成が終了した場合には、作成したプロファイルを特定する為のプロファイルＩＤを生成し、クッキーに格納してウェブサーバ１を介してユーザ端末１に送信する（ステップＳ１９）。尚プロファイルＩＤを格納したクッキーはユーザ端末１が記憶部に記憶する（ステップＳ２０）。そして、プロファイルの完了後、プロファイル作成処理部２４は色変換要求処理部２２に色変換要求の処理を開始を指示する。
【００２４】
次に、プロファイルについて説明する。プロファイルはモニタの色特性の情報であり、ユーザ端末５における、Ｒ、Ｇ、Ｂ（Ｒｅｄ、Ｇｒｅｅｎ、Ｂｌｕｅ）の各入力値と出力値とを対応付けたデータ構造の情報である。図３にプロファイルのデータ構造を示す。この図が示すように、プロファイルは、Ｒ、Ｇ、Ｂの０〜２５５の各入力値対応する出力値を対応付けている。そして、このプロファイルがユーザ端末５ごとに作成される。
【００２５】
次に、プロファイル作成方法の基本原理を説明する。
まず、色変換システムを利用するユーザには、予めプロファイルカードと呼ばれるカードが配布される。ここで、プロファイルカードとは、標準画像データが標準モニタに表示されたときの標準モニタ上の色と同一の色が塗布されたカードである。なお、標準画像データとは、例えば、ＲＧＢ値＝（１２８，１２８，１２８）の色を示す画像データである。また標準モニタとはカラーマネジメント用に製造された出力色の劣化などがないモニタである。そして、ユーザは、プロファイル作成過程の途中において、プロファイルカードとユーザ端末５に提示された複数の画像データの色とを比較して、プロファイルカードに近い色の画像データを指定する。
これにより、プロファイルサーバ２はユーザ端末５のＲＧＢ値の入力値に対応する出力値の特性を検出して、ユーザ端末５に特有のプロファイルを作成する。
【００２６】
次にプロファイル作成処理について説明する。
（ステップＡ）
図４はユーザ端末のシャドウ部の立ち上がりを検出するための複数の画像データを示す図である。この画像データはＲＧＢ値＝（０、０、０）の色を示す四角にＲＧＢ値＝（５、５、５）の色を示す小さい四角を重ねた画像データＡ１と、ＲＧＢ値＝（０、０、０）の色を示す四角にＲＧＢ値＝（１０、１０、１０）の色を示す小さい四角を重ねた画像データＡ２と、ＲＧＢ値＝（０、０、０）の色を示す四角にＲＧＢ値＝（１５、１５、１５）の色を示す小さい四角を重ねた画像データＡ３と、ＲＧＢ値＝（０、０、０）の色を示す四角にＲＧＢ値＝（２０、２０、２０）の色を示す小さい四角を重ねた画像データＡ４と、ＲＧＢ値＝（０、０、０）の色を示す四角にＲＧＢ値＝（３０、３０、３０）の色を示す小さい四角を重ねた画像データＡ５と、ＲＧＢ値＝（０、０、０）の色を示す四角にＲＧＢ値＝（４０、４０、４０）の色を示す小さい四角を重ねた画像データＡ６である。
【００２７】
そして、まず、プロファイル作成処理部２４はユーザ端末５に画像データＡ１〜画像データＡ６を提示する。すると、ユーザは、ユーザ端末５に表示された画像データＡ１〜Ａ６の中から、ＲＧＢ値＝（０、０、０）の色を示す四角と小さい四角との区別がつく画像を選択する。すると端末は選択された画像データＡ１〜Ａ６の何れかの識別情報を色変換システムへ送信し、プファイル作成処理部２４が受信する。そして、プロファイル作成処理部２４はユーザの選択した画像データに基づいて、ユーザ端末５のプロファイルにおける、ＲＧＢの出力値を変化させる。これにより、ユーザ端末５のモニタに出力されるＲＧＢ値＝（０、０、０）の色（黒）と区別のつくＲＧＢ値の境をプロファイルに反映させる。
【００２８】
（ステップＢ）
図５はユーザ端末のガンマ特性を検出するための複数の画像データを示す図である。この画像データはＲＧＢ値＝（１１０、１１０、１１０）の色（背景）を示す四角にＲＧＢ値＝（２５５、２５５、２５５）の色とＲＧＢ＝（０、０、０）が交互に配置されたメッシュ模様の小さい四角を重ねた画像データＢ１と、ＲＧＢ値＝（１１５、１１５、１１５）の色（背景）を示す四角にＲＧＢ値＝（２５５、２５５、２５５）の色とＲＧＢ＝（０、０、０）が交互に配置されたメッシュ模様の小さい四角を重ねた画像データＢ２と、ＲＧＢ値＝（１２０、１２０、１２０）の色（背景）を示す四角にＲＧＢ値＝（２５５、２５５、２５５）の色とＲＧＢ＝（０、０、０）が交互に配置されたメッシュ模様の小さい四角を重ねた画像データＢ３と、ＲＧＢ値＝（１２４、１２４、１２４）の色（背景）を示す四角にＲＧＢ値＝（２５５、２５５、２５５）の色とＲＧＢ＝（０、０、０）が交互に配置されたメッシュ模様の小さい四角を重ねた画像データＢ４と、ＲＧＢ値＝（１２７、１２７、１２７）の色（背景）を示す四角にＲＧＢ値＝（２５５、２５５、２５５）の色とＲＧＢ＝（０、０、０）が交互に配置されたメッシュ模様の小さい四角を重ねた画像データＢ５と、ＲＧＢ値＝（１３０、１３０、１３０）の色（背景）を示す四角にＲＧＢ値＝（２５５、２５５、２５５）の色とＲＧＢ＝（０、０、０）が交互に配置されたメッシュ模様の小さい四角を重ねた画像データＢ６である。なおメッシュ模様のＲＧＢ値＝（２５５、２５５、２５５）の色とＲＧＢ＝（０、０、０）の色は細かいので、メッシュ模様は灰色に見えるようになる。これにより、ユーザ端末５のモニタに表示された画像データＢ１〜Ｂ５の中で、メッシュ模様と背景との区別がつきやすいものと、区別のつきづらいものが出てくる。
【００２９】
そして、プロファイル作成処理部２４はユーザ端末５に画像データＢ１〜画像データＢ６を提示する。すると、ユーザは、ユーザ端末５に表示された画像データＢ１〜Ｂ６の中から、背景の色を示す四角とメッシュ模様の小さい四角との区別がつかなくなる画像を選択する。すると端末は選択された画像データＢ１〜Ｂ６の何れかの識別情報を色変換システムへ送信し、プロファイル作成処理部２４が受信する。そして、プロファイル作成処理部２４はユーザの選択した画像データに基づいて、ステップＡで修正されたプロファイルのＲＧＢの出力値をさらに変化させて、ユーザ端末５のプロファイルを作成する。これにより、ユーザ端末５のモニタによって異なるガンマ特性（ＲＧＢ値が同じ値でも明るく表示されたり暗く表示されたりする、モニタの特性）をプロファイルに反映させる。
【００３０】
（ステップＣ）
図６はユーザ端末における中間調の色味の表現をプロファイルに設定するための画像データＣ１〜Ｃ９を示す図である。また図７は図６に示した画像データのうちの３つの入出力特性を示す図である。そして、図６の９枚の画像データの中央に位置する画像データＣ１は標準画像データであり、標準画像データＣ１の入出力特性を曲線Ｌ１とすると、標準画像データ以外の他の画像データは、曲線Ｌ２や曲線Ｌ３のように入力値または出力値の中央の値にカーブをつけた曲線の入出力特性を示す画像データである。
【００３１】
そして、プロファイル作成処理部２４はステップＢの次に、ユーザ端末５に画像データＣ１〜Ｃ９を提示する。すると、ユーザは、ユーザ端末５に表示された画像データＣ１〜Ｃ９の中から、プロファイルカードに最も色が近い画像データを選択する。すると端末は選択された画像データＣ１〜Ｃ９の何れかの識別情報を色変換システムへ送信し、プロファイル作成処理部２４が受信する。
【００３２】
（ステップＤ）
図８はユーザ端末におけるハイライト部の色味の表現をプロファイルに設定するための画像データＤ１〜Ｄ９を示す図である。また図９は図８に示した画像データのうちの３つの入出力特性を示す図である。そして、図８の９枚の画像データの中央に位置する画像データＤ１は標準画像データであり、標準画像データＤ１の入出力特性を曲線Ｌ４とすると、標準画像データ以外の他の画像データは、曲線Ｌ５や曲線Ｌ６のように入力値と出力値の大きい範囲に異なるカーブをつけた曲線の入出力特性を示す画像データである。
【００３３】
そして、プロファイル作成処理部２４はステップＣの次に、ユーザ端末５に画像データＤ１〜Ｄ９を提示する。すると、ユーザは、ユーザ端末５に表示された画像データＤ１〜Ｄ９の中から、プロファイルカードに最も色が近い画像データを選択する。すると端末は選択された画像データＤ１〜Ｄ９の何れかの識別情報を色変換システムへ送信し、プロファイル作成処理部２４が受信する。
【００３４】
（ステップＥ）
図１０はユーザ端末におけるシャドウ部の色味の表現をプロファイルに設定するための画像データＥ１〜Ｅ９を示す図である。また図１１は図１０に示した画像データのうちの３つの入出力特性を示す図である。そして、図１０の９枚の画像データの中央に位置する画像データＥ１は標準画像データであり、標準画像データＥ１の入出力特性を曲線Ｌ７とすると、標準画像データ以外の他の画像データは、曲線Ｌ８や曲線Ｌ９のように入力値と出力値の小さい範囲に異なるカーブをつけた曲線の入出力特性を示す画像データである。
【００３５】
そして、プロファイル作成処理部２４はステップＤの次に、ユーザ端末５に画像データＥ１〜Ｅ９を提示する。すると、ユーザは、ユーザ端末５に表示された画像データＥ１〜Ｅ９の中から、プロファイルカードに最も色が近い画像データを選択する。すると端末は選択された画像データＥ１〜Ｅ９の何れかの識別情報を色変換システムへ送信し、プロファイル作成処理部２４が受信する。
（ステップＦ）
そして、プロファイル作成処理部２４はステップＣ、ステップＤ、ステップＥでユーザの選択した画像データに基づいて、ステップＢで修正されたプロファイルのＲＧＢの出力値をさらに変化させて、ユーザ端末５のプロファイルを作成する。
【００３６】
以上、本発明の実施形態について説明したが、上述の各サーバは内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３７】
【発明の効果】
以上説明したように、この発明によれば、画像データベースが複数の提供者の画像データを画像データ識別情報に対応付けて記憶し、プロファイルサーバがユーザ端末のモニタ装置固有の特性を示すプロファイル情報とプロファイル識別情報を対応付けて記憶するプロファイル記憶する。そしてプロファイルサーバがユーザ端末から送信されたプロファイル識別情報に基づいてプロファイル記憶部からプロファイル情報を読み取り、当該プロファイル情報を色変換サーバに送信し、色変換サーバがユーザ端末の送信した画像データ識別情報に基づいて画像データベースから画像データを読み取り、当該画像データの示す色をプロファイル情報に基づいて変換してユーザ端末に送信する。
これにより、従来は各提供者がそれぞれインターネット上に接続している色変換システムにプロファイルを登録しなければならなかったが、画像データベースは複数の提供者の画像データを記憶しており、その各提供者の画像データにユーザ端末のモニタ装置固有のプロファイルに基づいて色変換するので、本発明によりユーザは１つの色変換システムにプロファイルを登録しおくだけでよく、ユーザにかかる手間を軽減することができる。またそのプロファイルを用いて複数の提供者の画像データの示す色を、ユーザ端末の特性に合わせた色に変換することができる。また画像データベースは複数の提供者の画像データを記憶できるので、各提供者は１つの色変換システムにアクセスして画像データを登録すればよく、また、提供者毎に色変換システムを構築しなくても良い。
【図面の簡単な説明】
【図１】本発明の一実施形態による色変換システムの構成を示す概略ブロック図である。
【図２】本実施形態による色変換システムの処理フローを示す図である。
【図３】プロファイルのデータ構造を示す図である。
【図４】ユーザ端末のシャドウ部の立ち上がりを検出するための複数の画像データを示す図である。
【図５】ユーザ端末のガンマ特性を検出するための複数の画像データを示す図である。
【図６】ユーザ端末における中間調の色味の表現をプロファイルに設定するための画像データＣ１〜Ｃ９を示す図である。
【図７】図６に示した画像データのうちの３つの入出力特性を示す図である。
【図８】ユーザ端末におけるハイライト部の色味の表現をプロファイルに設定するための画像データＤ１〜Ｄ９を示す図である。
【図９】図８に示した画像データのうちの３つの入出力特性を示す図である。
【図１０】ユーザ端末におけるシャドウ部の色味の表現をプロファイルに設定するための画像データＥ１〜Ｅ９を示す図である。
【図１１】図１０に示した画像データのうちの３つの入出力特性を示す図である。
【符号の説明】
１  ウェブサーバ
２  プロファイルサーバ
３  色変換サーバ
４  画像データベースサーバ
５  ユーザ端末
６  画像データ提供者の端末
【図１】
2005024654.tif 000003
【図２】
2005024654.tif 000004
【図３】
2005024654.tif 000005
【図４】
2005024654.tif 000006
【図５】
2005024654.tif 000007
【図６】
2005024654.tif 000008
【図７】
2005024654.tif 000009
【図８】
2005024654.tif 000010
【図９】
2005024654.tif 000011
【図１０】
2005024654.tif 000012
【図１１】
2005024654.tif 000013